(57)【要約】【課題】ボタンの数に比べて演奏可能な和音の種類を多くするとともに、演奏時の操作性を向上することができる和音演奏入力装置及び電子楽器を提供する。【解決手段】電子楽器１は、和音演奏入力装置１０と、和音を発音する発音部８と、画像を表示する表示部９とを備える。和音演奏入力装置１０は、和音がそれぞれ割り当てられた和音指定ボタン群３と、和音指定ボタン群３に対する和音の割当状態を変更する変更方法がそれぞれ割り当てられた複数の和音変更ボタン群４と、複数の和音指定ボタン群３及び複数の和音変更ボタン群４に対する操作に応じた和音を、発音部８に発音させるための発音情報を生成する発音情報生成部１１２と、複数の和音画像及び変更方法画像を、複数の和音指定ボタン群３及び複数の和音変更ボタン群４が並べられて配置された並び順と一致するように、表示部９に表示させるための表示情報を生成する表示情報生成部１１３とを備える。【選択図】      図１
2020201489.tif 000002
【特許請求の範囲】
【請求項１】
筐体に並べられて配置されるとともに、和音がそれぞれ割り当てられた複数の和音指定ボタンと、
前記筐体に前記複数の和音指定ボタンと並べられて配置されるとともに、前記複数の和音指定ボタンに対する前記和音の割当状態を変更する変更方法がそれぞれ割り当てられた複数の和音変更ボタンと、
前記複数の和音指定ボタン及び前記複数の和音変更ボタンに対する操作に応じた前記和音を、発音部に発音させるための発音情報を生成する発音情報生成部と、
前記複数の和音指定ボタンにそれぞれ割り当てられた前記和音に対応する複数の和音画像、及び、前記複数の和音変更ボタンにそれぞれ割り当てられた前記変更方法に対応する複数の変更方法画像を、前記複数の和音指定ボタン及び前記複数の和音変更ボタンが並べられて配置された並び順と一致するように、表示部に表示させるための表示情報を生成する表示情報生成部とを備える、
ことを特徴とする和音演奏入力装置。
【請求項２】
前記複数の和音指定ボタンには、
前記和音を構成する第１の根音及び第１の和音種類がそれぞれ割り当てられ、
前記複数の和音変更ボタンの少なくとも１つには、
前記変更方法として、前記第１の和音種類に第２の和音種類を付加することにより、又は、前記第１の和音種類を前記第２の和音種類に置換することにより、前記割当状態を変更するときの前記第２の和音種類が割り当てられた、
ことを特徴とする請求項１に記載の和音演奏入力装置。
【請求項３】
前記複数の和音指定ボタンには、
前記和音を構成する第１の根音及び第１の和音種類がそれぞれ割り当てられ、
前記複数の和音変更ボタンの少なくとも１つには、
前記変更方法として、前記第１の和音種類が第３の和音種類に該当するときに、前記第１の和音種類を、前記第３の和音種類とは異なる第４の和音種類に置換するとともに、前記第１の和音種類が前記第４の和音種類に該当するときに、前記第１の和音種類を前記第３の和音種類に置換することにより前記割当状態を変更するときの前記第３の和音種類及び前記第４の和音種類が割り当てられた、
ことを特徴とする請求項１又は請求項２に記載の和音演奏入力装置。
【請求項４】
前記複数の和音指定ボタンには、
前記和音を構成する第１の根音及び第１の和音種類がそれぞれ割り当てられ、
前記複数の和音変更ボタンの少なくとも１つには、
前記変更方法として、前記第１の根音に変化記号を付加することにより前記割当状態を変更するときの前記変化記号が割り当てられた、
ことを特徴とする請求項１乃至請求項３のいずれか一項に記載の和音演奏入力装置。
【請求項５】
前記発音情報生成部は、
前記和音指定ボタンが操作されたとき、当該和音指定ボタンに割り当てられた前記和音に基づいて、前記発音情報を生成し、
前記和音指定ボタン及び前記和音変更ボタンが同時に操作されたとき、当該和音指定ボタンに割り当てられた前記和音に代えて、当該和音変更ボタンに割り当てられた前記変更方法に従って前記割当状態を変更することにより、当該和音指定ボタンに割り当てられた変更後の和音に基づいて、前記発音情報を生成する、
ことを特徴とする請求項１乃至請求項４のいずれか一項に記載の和音演奏入力装置。
【請求項６】
前記表示情報生成部は、
前記和音指定ボタンが操作されたとき、当該和音指定ボタンに割り当てられた前記和音に対応する前記和音画像の表示態様を変更した前記表示情報を生成し、
前記和音変更ボタンが操作されたとき、当該和音変更ボタンに割り当てられた前記変更方法に対応する前記変更方法画像の表示態様を変更した前記表示情報を生成する、
ことを特徴とする請求項１乃至請求項５のいずれか一項に記載の和音演奏入力装置。
【請求項７】
前記複数の和音指定ボタン、及び、前記複数の和音変更ボタンは、
片手で操作可能な範囲に並べられて配置された、
ことを特徴とする請求項１乃至請求項６のいずれか一項に記載の和音演奏入力装置。
【請求項８】
前記複数の和音指定ボタンは、
和音指定ボタン群として、２次元配列状又は千鳥配列状に並べられて配置され、
前記複数の和音変更ボタンは、
前記和音指定ボタン群に隣接して配置された、
ことを特徴とする請求項１乃至請求項７のいずれか一項に記載の和音演奏入力装置。
【請求項９】
請求項１乃至請求項８のいずれか一項に記載の和音演奏入力装置と、
前記発音情報生成部により生成された発音情報に基づいて、前記和音を発音する発音部と、
前記表示情報生成部により生成された表示情報に基づいて、前記複数の和音画像及び前記複数の変更方法画像を表示する表示部とを備える、
ことを特徴とする電子楽器。
【請求項１０】
筐体に並べられて配置されるとともに、和音がそれぞれ割り当てられた複数の和音指定ボタンと、前記筐体に前記複数の和音指定ボタンと並べられて配置されるとともに、前記複数の和音指定ボタンに対する前記和音の割当状態を変更する変更方法がそれぞれ割り当てられた複数の和音変更ボタンとを制御するコンピュータに実行させるための和音演奏入力プログラムであって、
前記コンピュータを、
前記複数の和音指定ボタン及び前記複数の和音変更ボタンに対する操作に応じた前記和音を、発音部に発音させるための発音情報を生成する発音情報生成部、及び、
前記複数の和音指定ボタンにそれぞれ割り当てられた前記和音に対応する複数の和音画像、及び、前記複数の和音変更ボタンにそれぞれ割り当てられた前記変更方法に対応する複数の変更方法画像を、前記複数の和音指定ボタン及び前記複数の和音変更ボタンが並べられて配置された並び順と一致するように、表示部に表示させるための表示情報を生成する表示情報生成部として機能させる、
ことを特徴とする和音演奏入力プログラム。
【発明の詳細な説明】
【技術分野】
【０００１】
本発明は、和音演奏入力装置、電子楽器、及び、和音演奏入力プログラムに関する。
【背景技術】
【０００２】
従来、演奏者が和音の構成音を知らなくても、コードネーム（例えば、Ｇ、Ｆ、Ｃ、Ａｍ等）により和音を指定することで複数の和音による演奏を可能とする電子楽器が知られている。
【０００３】
例えば、特許文献１には、２７種類の和音にそれぞれ対応する２７個のコードセレクトボタンを備えた電子楽器が開示されている。
【先行技術文献】
【特許文献】
【０００４】
【特許文献１】特開昭５３−４３４９６号公報
【発明の概要】
【発明が解決しようとする課題】
【０００５】
しかし、特許文献１に開示された電子楽器では、１つの和音と１個のボタンとが対応するため、２７種類の和音に対して２７個のボタンが筐体に配置される。そのため、演奏者が押下しやすい大きさのボタンを２７個並べて配置するためには、所定のスペースが必要になる。そして、新たな和音を追加する場合には、その追加する和音の数だけボタンを増やすことになるため、さらに大きなスペースが必要になる。また、ボタンの数が多いと、ボタンを探すのに手間取ったり、端と端に配置されたボタン間の距離が遠くなったりするため、操作性が悪くなる。
【０００６】
本発明は、このような事情に鑑みてなされたものであって、ボタンの数に比べて演奏可能な和音の種類を多くするとともに、演奏時の操作性を向上することができる和音演奏入力装置、電子楽器、及び、和音演奏入力プログラムを提供することを目的とする。
【課題を解決するための手段】
【０００７】
本発明は、上記課題を解決するものであって、本発明の一実施形態に係る和音演奏入力装置は、
筐体に並べられて配置されるとともに、和音がそれぞれ割り当てられた複数の和音指定ボタンと、
前記筐体に前記複数の和音指定ボタンと並べられて配置されるとともに、前記複数の和音指定ボタンに対する前記和音の割当状態を変更する変更方法がそれぞれ割り当てられた複数の和音変更ボタンと、
前記複数の和音指定ボタン及び前記複数の和音変更ボタンに対する操作に応じた前記和音を、発音部に発音させるための発音情報を生成する発音情報生成部と、
前記複数の和音指定ボタンにそれぞれ割り当てられた前記和音に対応する複数の和音画像、及び、前記複数の和音変更ボタンにそれぞれ割り当てられた前記変更方法に対応する複数の変更方法画像を、前記複数の和音指定ボタン及び前記複数の和音変更ボタンが並べられて配置された並び順と一致するように、表示部に表示させるための表示情報を生成する表示情報生成部とを備える。
【０００８】
また、本発明の一実施形態に係る電子楽器は、
上記和音演奏入力装置と、
前記発音情報生成部により生成された発音情報に基づいて、前記和音を発音する発音部と、
前記表示情報生成部により生成された表示情報に基づいて、前記複数の和音画像及び前記複数の変更方法画像を表示する表示部とを備える。
【０００９】
また、本発明の一実施形態に係る和音演奏入力プログラムは、
筐体に並べられて配置されるとともに、和音がそれぞれ割り当てられた複数の和音指定ボタンと、前記筐体に前記複数の和音指定ボタンと並べられて配置されるとともに、前記複数の和音指定ボタンに対する前記和音の割当状態を変更する変更方法がそれぞれ割り当てられた複数の和音変更ボタンとを制御するコンピュータに実行させるための和音演奏入力プログラムであって、
前記コンピュータを、
前記複数の和音指定ボタン及び前記複数の和音変更ボタンに対する操作に応じた前記和音を、発音部に発音させるための発音情報を生成する発音情報生成部、及び、
前記複数の和音指定ボタンにそれぞれ割り当てられた前記和音に対応する複数の和音画像、及び、前記複数の和音変更ボタンにそれぞれ割り当てられた前記変更方法に対応する複数の変更方法画像を、前記複数の和音指定ボタン及び前記複数の和音変更ボタンが並べられて配置された並び順と一致するように、表示部に表示させるための表示情報を生成する表示情報生成部として機能させる。
【発明の効果】
【００１０】
本発明の一実施形態に係る和音演奏入力装置、電子楽器、及び、和音演奏入力プログラムによれば、発音情報生成部が、複数の和音指定ボタン及び複数の和音変更ボタンが操作されたときの組み合わせに応じた和音を、発音部に発音させるための発音情報を生成する。このとき、複数の和音指定ボタンに対する和音の割当状態は、複数の和音変更ボタンに割り当てられた変更方法に従って変更されるので、演奏可能な和音の数は、和音指定ボタンの数と、和音変更ボタンの数とに応じて決められることになる。したがって、本発明の一実施形態に係る和音演奏入力装置、電子楽器、及び、和音演奏入力プログラムによれば、和音指定ボタンの数に比べて演奏可能な和音の種類を多くすることができる。
【００１１】
また、表示情報生成部は、割当状態が変更される前後において、複数の和音画像及び複数の変更方法画像を、複数の和音指定ボタン及び複数の和音変更ボタンの並び順と一致するように、表示部に表示させるための表示情報を生成する。そのため、演奏者は、複数の和音指定ボタン及び複数の和音変更ボタンにおける各ボタンの配置状態とともに、各ボタンを操作したときに発音される和音（変更後の和音も含む）を簡単に把握することができる。したがって、本発明の実施形態に係る和音演奏入力装置、電子楽器、及び、和音演奏入力プログラムによれば、演奏時の操作性を向上することができる。
【図面の簡単な説明】
【００１２】
【図１】本発明の実施形態に係る電子楽器１の構成例を示し、（ａ）は正面図、（ｂ）は上面図である。
【図２】本発明の実施形態に係る電子楽器１における和音指定ボタン群３、和音変更ボタン群４及び表示部９の拡大図である。
【図３】本発明の実施形態に係る電子楽器１及び和音演奏入力装置１０の一例を示すブロック図である。
【図４】本発明の実施形態に係る電子楽器１及び和音演奏入力装置１０の一例を示す機能説明図である。
【図５】メニューボタン６が操作されたときのユーザ設定画面９１Ａ〜９１Ｇを示す図である。
【図６】キー上昇ボタン７０Ａ又はキー下降ボタン７０Ｂが操作されたときの演奏画面９０Ａ〜９０Ｃを示す図である。
【図７】和音指定ボタン３Ａが操作されたときの演奏画面９０Ａ、９０Ｄを示す図である。
【図８】第１の変更方法が割り当てられた和音変更ボタン４Ｃが操作されたときの演奏画面９０Ａ、９０Ｅ、９０Ｆを示す図である。
【図９】第１の変更方法が割り当てられた和音変更ボタン４Ｄが操作されたときの演奏画面９０Ａ、９０Ｇ、９０Ｈを示す図である。
【図１０】第２の変更方法が割り当てられた和音変更ボタン４Ｈが操作されたときの演奏画面９０Ａ、９０Ｉ、９０Ｊを示す図である。
【図１１】第３の変更方法が割り当てられた和音変更ボタン４Ｇが操作されたときの演奏画面９０Ａ、９０Ｋ〜９０Ｍを示す図である。
【図１２】本発明の他の実施形態に係る電子楽器１及び和音演奏入力装置１０の構成例を示し、（ａ）は第１の構成例、（ｂ）は第２の構成例、（ｃ）は第３の構成例を示す図である。
【発明を実施するための形態】
【００１３】
以下、本発明の一実施形態について添付図面を参照しつつ説明する。
【００１４】
（電子楽器１の各部の構成について）
図１は、本発明の実施形態に係る電子楽器１の構成例を示し、（ａ）は正面図、（ｂ）は上面図である。図２は、本発明の実施形態に係る電子楽器１における和音指定ボタン群３、和音変更ボタン群４及び表示部９の拡大図である。
【００１５】
電子楽器１は、演奏者が片手又は両手を使って和音演奏入力装置１０を操作することにより、複数の和音の演奏を可能とする楽器である。
【００１６】
電子楽器１は、平板状の筐体２を備え、筐体２の表面２０に配置された和音指定ボタン群３、和音変更ボタン群４、パッド群５、メニューボタン６、オプションボタン群７、発音部８及び表示部９を備える。また、電子楽器１は、筐体２に内蔵された制御部１１、記憶部１２、バッテリ１３及び外部Ｉ／Ｆ（インターフェース）部１４を備える。
【００１７】
筐体２は、例えば、木材、樹脂、金属等の材料で形成されており、４００〜５００ｍｍ程度の全長と、１０ｍｍ程度の厚みを有する。筐体２は、例えば、ギターの形状を模したものであり、ギターのネックに相当するネック部２４と、ギターのボディに相当するボディ部２５とからなる。なお、筐体２のサイズ及び形状は、適宜変更するようにしてもよい。
【００１８】
演奏者は、筐体２の上面２２を上側に向けた状態でネック部２４を左手で持ちながら、ボディ部２５を右手で抱えるように持つことにより、電子楽器１を演奏する。また、演奏者は、筐体２の裏面２１を、例えば、テーブルに載置した状態で、電子楽器１を演奏する。
【００１９】
和音指定ボタン群３は、複数の和音指定ボタン３Ａ〜３Ｉからなり、ネック部２４に並べられて配置される。複数の和音指定ボタン３Ａ〜３Ｉは、例えば、長方形状に形成されており、２次元配列状又は千鳥配列状に並べられて配置される。本実施形態では、９個の和音指定ボタン３Ａ〜３Ｉが、縦３列、横３列の２次元配列状に並べられて配置される。
【００２０】
複数の和音指定ボタン３Ａ〜３Ｉには、和音がそれぞれ割り当てられている。具体的には、複数の和音指定ボタン３Ａ〜３Ｉには、各和音を構成する第１の根音及び第１の和音種類がそれぞれ割り当てられている。複数の和音指定ボタン３Ａ〜３Ｉにそれぞれ割り当てられた和音の割当状態は、固定的なものではなく、複数の変更方法（詳細は後述する）に従って変更可能なものである。
【００２１】
ここで、「和音」は、和音の最低音である根音を基準として、音程が異なる少なくとも３つ以上の構成音を組み合わせたものである。各和音は、「根音」と、根音を除く他の構成音（第３音、第５音、第７音、テンション等）の特徴を示す「和音種類」とに基づいて特定され、コードネームにより表記される。「コードネーム」は、アルファベット大文字（Ａ〜Ｇ）により「根音」が表記されるとともに、アルファベット大文字（Ａ〜Ｇ）の右側に配置された英数字及びギリシャ文字により「和音種類」が表記される。
【００２２】
「根音」は、アルファベット大文字（Ａ〜Ｇ）に、「♭」又は「＃」が付加的に表記される。「和音種類」（括弧内は呼称を示す）は、例えば、「ｍ」（マイナー）、「ｍ７」（マイナーセブンス）、「ａｕｇ」（オーギュメント）、「７」（セブンス）、「Ｍ７」（メジャーセブンス）、「６」（シックス）、「９」（ナインス）、「Ｏ」（ディミニッシュ）、「７ｓｕｓ４」（セブンスサスフォー）、「Φ」（ハーフディミニッシュ）と表記される。なお、「Ｏ」は、「ｄｉｍ７」の簡略表記であり、「Φ」は、「ｍ７♭５」の簡略表記である。また、「和音種類」が「Ｍ」（メジャー）の場合には、「Ｍ」の表記を省略する。
【００２３】
また、和音には、Ｉ、ＩＶ、Ｖの主要三和音と、ＩＩ、ＩＩＩ、ＶＩ、ＶＩＩの副三和音とがあり、基本となる根音は、７種類に限定される。さらに、例えば、自然長音階における三和音では、基本となる和音種類は、根音がＩ、ＩＶ、Ｖの場合には、長三和音（メジャー）、根音がＩＩ、ＩＩＩ、ＶＩの場合には、短三和音（マイナー）、根音がＶＩＩの場合には、減三和音（ディミニッシュ）というように、限定される。
【００２４】
したがって、本実施形態では、各和音を構成する第１の根音及び第１の和音種類を、上記のように基本となる根音及び和音種類に絞り込んで規則的に配置するため、７個の和音指定ボタン３Ａ〜３Ｆ、３Ｈには、初期の割当状態として、「Ｃ」、「Ｄｍ」、「Ｅｍ」、「Ｆ」、「Ｇ」、「Ａｍ」、「Ｂｍ」というコードネームで表記される７つの和音がそれぞれ割り当てられている。また、他の和音に比べて使用頻度が高い和音として、１個の和音指定ボタン３Ｇには、初期の割当状態として、「Ｂ♭」というコードネームで表記される和音が割り当てられている。本実施形態では、１個の和音指定ボタン３Ｉには、和音が割り当てられていないものとして説明するが、和音指定ボタン３Ｉにも、任意の和音が割り当てられていてもよい。
【００２５】
なお、図２では、説明のために、８個の和音指定ボタン３Ａ〜３Ｈに上記のコードネームを表記した。複数の和音指定ボタン３Ａ〜３Ｉが、文字列を表示可能に構成されている場合には、複数の和音指定ボタン３Ａ〜３Ｉにそれぞれ割り当てられた和音を示すコードネームを文字列として表示するようにしてもよい。
【００２６】
和音変更ボタン群４は、複数の和音変更ボタン４Ａ〜４Ｋからなり、ネック部２４に複数の和音指定ボタン３Ａ〜３Ｉと並べられて配置される。複数の和音変更ボタン４Ａ〜４Ｋは、例えば、正方形状に形成されており、２次元配列状又は千鳥配列状に並べられた状態で和音指定ボタン群３に隣接して配置される。
【００２７】
本実施形態では、６個の和音変更ボタン４Ａ〜４Ｆが、和音指定ボタン群３の右側に対して、縦３列、横２列の２次元配列状に並べられて配置される。また、５個の和音変更ボタン４Ｇ〜４Ｋ及びメニューボタン６が、和音指定ボタン群３の左側に対して、縦３列、横２列の２次元配列状に並べられて配置される。このとき、複数の和音指定ボタン３Ａ〜３Ｉ及び複数の和音変更ボタン４Ａ〜４Ｋは、片手で操作可能な範囲に並べられて配置される。なお、複数の和音変更ボタン４Ａ〜４Ｋは、和音指定ボタン群３に隣接して配置されていればよく、例えば、片側に配置されてもよいし、周囲を囲むように配置されてもよい。
【００２８】
複数の和音変更ボタン４Ａ〜４Ｋには、複数の和音指定ボタン３Ａ〜３Ｉに対する和音の割当状態を変更する複数の変更方法がそれぞれ割り当てられている。
【００２９】
ここで、「変更方法」は、複数の和音指定ボタン３Ａ〜３Ｉにそれぞれ割り当てられた各和音を構成する第１の根音及び第１の和音種類の少なくとも一方を所定の規則に従って変更する方法である。本実施形態では、変更方法は、以下の３つに分類される。
【００３０】
（ａ）第１の変更方法
第１の変更方法では、第１の和音種類に第２の和音種類を付加することにより、又は、第１の和音種類を第２の和音種類に置換することにより、割当状態を変更する。和音指定ボタン３Ａ〜３Ｉには、第１の変更方法により割当状態を変更するときの第２の和音種類が割り当てられる。「付加」と「置換」の場合分けとしては、第１の和音種類と、第２の和音種類とが両立する場合には、第１の和音種類に第２の和音種類を付加し、そうでない場合には、第１の和音種類を第２の和音種類に置換する。なお、第１の和音種類と、第２の和音種類とが両立する場合であっても、第１の和音種類を第２の和音種類に置換するようにしてもよい。
【００３１】
例えば、変更対象の和音を示すコードネームが「Ａｍ」であって、第２の和音種類として、「Ｍ７」又は「ａｕｇ」が指定された場合、第１の変更方法では、第１の和音種類「ｍ」に第２の和音種類（「Ｍ７」）として指定された構成音の特徴を付加することにより、又は、第１の和音種類「ｍ」を第２の和音種類（「ａｕｇ」）として指定された構成音の特徴で置換することにより、新たな和音（付加：「Ａｍ」→「ＡｍＭ７」、又は、置換：「Ａｍ」→「Ａａｕｇ」）に変更する。本実施形態では、第１の変更方法として、９個の和音変更ボタン４Ａ〜４Ｆ、４Ｉ〜４Ｋに、「ｍ７」、「ａｕｇ」、「７」、「Ｍ７」、「６」、「９」、「Ｏ」（ｄｉｍ７）、「７ｓｕｓ４」、「Φ」（ｍ７♭５）という第２の和音種類がそれぞれ割り当てられている。
【００３２】
（ｂ）第２の変更方法
第２の変更方法では、第１の和音種類が第３の和音種類に該当するときに、第１の和音種類を、第３の和音種類とは異なる第４の和音種類に置換するとともに、第１の和音種類が第４の和音種類に該当するときに、第１の和音種類を第３の和音種類に置換することにより、割当状態を変更する。和音指定ボタン３Ａ〜３Ｉには、第２の変更方法により割当状態を変更するときの第３の和音種類及び第４の和音種類が割り当てられる。
【００３３】
例えば、変更対象の和音を示すコードネームが「Ｃ」及び「Ａｍ」であって、第３の和音種類として「Ｍ」、第４の和音種類として「ｍ」が指定された場合、第２の変更方法では、第３の和音種類と第４の和音種類とを入れ替えることにより、新たな和音（「Ｃ」→「Ｃｍ」及び「Ａｍ」→「Ａ」）に変更する。本実施形態では、第２の変更方法として、和音変更ボタン４Ｈに、「Ｍ」という第３の和音種類及び「ｍ」という第４の和音種類が割り当てられている。
【００３４】
（ｃ）第３の変更方法
第３の変更方法では、第１の根音に変化記号（例えば、♯、♭等）を付加することにより、割当状態を変更する。和音指定ボタン３Ａ〜３Ｉには、第３の変更方法により割当状態を変更するときの変化記号が割り当てられる。
【００３５】
例えば、変更対象の和音を示すコードネームが「Ｃ」であって、変化記号として、「♯」又は「♭」が指定された場合、第３の変更方法では、第１の根音に変化記号を付加することにより、新たな和音（「Ｃ」→「Ｄ♭」又は「Ｃ」→「Ｃ♭」）に変更する。本実施形態では、第３の変更方法として、和音変更ボタン４Ｇに、「＃」という変化記号が割り当てられている。
【００３６】
なお、図２では、説明のために、１１個の和音変更ボタン４Ａ〜４Ｋに上記の変更方法を表記した。複数の和音変更ボタン４Ａ〜４Ｋが文字列を表示可能に構成されている場合には、複数の和音変更ボタン４Ａ〜４Ｋにそれぞれ割り当てられた変更方法を文字列として表示するようにしてもよい。
【００３７】
パッド群５は、複数のパッド５Ａ〜５Ｄからなり、ボディ部２５の下面２３寄りに並べられて配置される。複数のパッド５Ａ〜５Ｄは、ギターの弦のように指で弾くような操作や、指で叩くような操作を検出可能に構成されている。なお、筐体２には、例えば、鍵盤や弦等で構成された操作子群が、パッド群５に代えて配置されてもよいし、パッド群５に加えて配置されてもよい。
【００３８】
メニューボタン６は、ネック部２４に複数の和音指定ボタン３Ａ〜３Ｉと並べられて配置される。メニューボタン６は、和音指定ボタン３Ａ〜３Ｉと同じ大きさの正方形状に形成されている。
【００３９】
オプションボタン群７は、キー（調）を上げたり下げたりするキー上昇ボタン７０Ａ及びキー下降ボタン７０Ｂと、記憶部１２に記憶されたユーザ設定データ（詳細は後述する）を読み出すメモリボタン７１Ａ、７１Ｂとからなる。オプションボタン群７は、ボディ部２５の上面２２寄りに表示部９と並べられて配置される。キー上昇ボタン７０Ａ、キー下降ボタン７０Ｂ、及び、メモリボタン７１Ａ、７１Ｂは、例えば、長方形状に形成されており、２次元配列状に並べられて配置される。
【００４０】
和音指定ボタン群３、和音変更ボタン群４、パッド群５、メニューボタン６、及び、オプションボタン群７からなる操作部３〜７は、図１（ｂ）に示すように、表面２０に対して凸状に配置されている。操作部３〜７は、演奏者により指で操作（押下）されたとき、表面２０と同程度の高さまで押し込まれるように、例えば、押しボタン式のスイッチで構成されている。これにより、演奏者は、手元を見なくても指の感覚でボタンの操作状態や位置関係を容易に把握することができる。そのため、演奏時の操作性を向上することができる。
【００４１】
なお、操作部３〜７は、演奏者の操作状態を検出可能なセンサであれば任意の形式のセンサを用いてもよく、例えば、感圧センサ、接触センサ、タッチパネル等で構成されていてもよい。また、操作部３〜７のサイズ、形状及び配置状態は、適宜変更するようにしてもよい。
【００４２】
発音部８は、ボディ部２５の下面２３寄りに配置される。発音部８は、例えば、増幅回路、スピーカ等を含む音出力デバイスで構成されている。なお、発音部８は、外部のスピーカ、ヘッドホン、イヤホン等の外部機器でもよい。
【００４３】
発音部８は、制御部１１により生成された発音情報（詳細は後述する）に基づく信号を増幅し、スピーカを介して外部に放音することにより、和音指定ボタン群３及び和音変更ボタン群４に対する操作に応じた和音を発音する。
【００４４】
表示部９は、ボディ部２５の上面２２寄りに和音指定ボタン群３及び和音変更ボタン群４と並べられて配置される。表示部９は、例えば、液晶ディスプレイ、有機ＥＬディスプレイ、タッチパネル等の表示デバイスで構成されている。表示部９は、制御部１１により生成された表示情報（詳細は後述する）に基づいて、図２に示す演奏画面９０Ａやユーザ設定画面（詳細は後述する）を表示する。
【００４５】
演奏画面９０Ａは、図２に示すように、複数の和音指定ボタン３Ａ〜３Ｉにそれぞれ割り当てられた和音に対応する複数の和音画像９００Ａ〜９００Ｉと、複数の和音変更ボタン４Ａ〜４Ｋにそれぞれ割り当てられた変更方法に対応する複数の変更方法画像９０１Ａ〜９０１Ｋと、メニューボタン６に対応するメニュー画像９０２と、キー上昇ボタン７０Ａ及びキー下降ボタン７０Ｂにより設定されたキーを示すキー画像９０３とを含む。
【００４６】
和音画像９００Ａ〜９００Ｉの各々は、和音を示すコードネームを含む画像である。第１の変更方法に対応する変更方法画像９０１Ａ〜９０１Ｆ、９０１Ｉ〜９０１Ｋは、第２の和音種類を含む画像である。第２の変更方法に対応する変更方法画像９０１Ｈは、第３の和音種類及び第４の和音種類を含む画像である。第３の変更方法に対応する変更方法画像９０１Ｇは、変化記号を含む画像である。
【００４７】
演奏画面９０Ａにおいて、複数の和音画像９００Ａ〜９００Ｉ、複数の変更方法画像９０１Ａ〜９０１Ｋ及びメニュー画像９０２が並べられて配置された画像の並び順は、複数の和音指定ボタン３Ａ〜３Ｉ、複数の和音変更ボタン４Ａ〜４Ｋ及びメニューボタン６が並べられて配置されたボタンの並び順と一致する。
【００４８】
図３は、本発明の実施形態に係る電子楽器１及び和音演奏入力装置１０の一例を示すブロック図である。図４は、本発明の実施形態に係る電子楽器１及び和音演奏入力装置１０の一例を示す機能説明図である。和音演奏入力装置１０は、少なくとも和音指定ボタン群３、和音変更ボタン群４及び制御部１１を備える。なお、本実施形態では、和音演奏入力装置１０は、図４に示す実線の枠（１０）で特定されるものとして説明するが、図４に示す破線の枠（１０Ａ〜１０Ｄ）で特定されるものでもよい。
【００４９】
制御部１１は、例えば、ＣＰＵ、サウンドチップ、ビデオチップ等の演算処理デバイスで構成されている。制御部１１は、操作部３〜７、発音部８、表示部９、記憶部１２、バッテリ１３及び外部Ｉ／Ｆ部１４に電気的に接続されている。
【００５０】
記憶部１２は、例えば、ＨＤＤ、メモリ等の記憶デバイスで構成されている。記憶部１２には、電子楽器１の演奏に必要な各種のデータとして、音階データベース１２０、演奏方法データベース１２１、音源データベース１２２、ユーザ設定データベース１２３、及び、和音演奏入力プログラム１２４が記憶されている。なお、これらのデータは、電子楽器１がインターネット等のネットワークに接続されることで更新されてもよい。
【００５１】
音階データベース１２０は、和音の各構成音に対応する音階を、例えば、ノート番号で指定するためのデータベースである。音階データベース１２０は、例えば、和音毎に、各構成音に対応するノード番号を記憶する。
【００５２】
演奏方法データベース１２１は、和音を発音させるときの演奏方法に応じて発音情報を生成するためのデータベースである。演奏方法データベース１２１は、例えば、コード、ルート、ストローク、アルペジオ等の演奏方法毎に、発音条件（音量、タイミング、音の長さ等）を記憶する。
【００５３】
音源データベース１２２は、和音を発音させるときの音色に応じて発音情報を生成するためのデータベースである。音源データベース１２２は、例えば、ギター、ピアノ、ドラム等の音色毎に音源データを記憶する。音源データとしては、ＦＭ音源、ＭＩＤＩ音源、ＰＣＭ音源等の種々の形式が用いられる。
【００５４】
ユーザ設定データベース１２３は、演奏者により設定可能な各種のパラメータを保存するためのデータベースである。ユーザ設定データベース１２３は、複数のユーザ設定データからなり、ユーザ設定データ毎に、割当状態、キー、演奏方法、音色等のパラメータを記憶する。ユーザ設定データベース１２３は、メモリボタン７１Ａ、７１Ｂに対する操作に応じて、制御部１１により読み出される。
【００５５】
バッテリ１３は、例えば、一次電池又は二次電池で構成されている。バッテリ１３は、電子楽器１の電源スイッチ（不図示）がオンされたとき、電子楽器１の各部に電力を供給する。なお、電子楽器１は、例えば、ＡＣアダプターやＵＳＢケーブル等を介して外部から電力が供給されてもよい。
【００５６】
外部Ｉ／Ｆ部１４は、例えば、通信デバイスで構成されており、有線又は無線により外部機器やネットワークと接続されて、情報を送受信する。外部Ｉ／Ｆ部１４は、外部機器と有線で接続される入出力端子と、Ｂｌｕｅｔｏｏｔｈ（登録商標）、無線ＬＡＮ等の通信規格に対応する無線通信部とを備える。
【００５７】
制御部１１は、記憶部１２に記憶された和音演奏入力プログラム１２４を実行することにより、操作受付部１１０、和音変更部１１１、発音情報生成部１１２、及び、表示情報生成部１１３として機能する。そして、制御部１１は、操作部３〜７に対する操作を受け付けて、その操作に応じて、記憶部１２に記憶された各種のデータベース１２０〜１２３を参照しつつ、発音部８、表示部９及び外部Ｉ／Ｆ部１４を制御する。
【００５８】
操作受付部１１０は、操作部３〜７の各々に対する操作をそれぞれ受け付ける。
【００５９】
和音変更部１１１は、操作受付部１１０により和音変更ボタン４Ａ〜４Ｋに対する操作が受け付けられたとき、当該操作における和音変更ボタンに割り当てられた変更方法に従って、割当状態を変更する。そして、和音変更部１１１は、当該和音変更ボタンが操作されている間、当該割当状態を変更した状態を維持し、当該和音変更ボタンに対する操作が解除されたとき、当該割当状態を元の割当状態に戻す。なお、和音変更部１１１は、当該和音変更ボタンに対する操作が解除されたときではなく、和音変更ボタン４Ａ〜４Ｋに対する別の操作が受け付けられたとき、当該割当状態を元の割当状態に戻すようにしてもよい。
【００６０】
発音情報生成部１１２は、操作受付部１１０により複数の和音指定ボタン３Ａ〜３Ｉ及び複数の和音変更ボタン４Ａ〜４Ｋに対する操作が受け付けられたとき、当該操作に応じた和音を、発音部８に発音させるための発音情報８０を生成する。なお、発音情報８０は、発音部８に発音させる和音を示す情報を含むものであればよく、データの形式や内容は特に限定されない。また、発音情報生成部１１２は、機能の一部として、和音変更部１１１を備えていてもよい。
【００６１】
発音情報生成部１１２は、和音指定ボタン３Ａ〜３Ｉに対する操作が受け付けられたとき、当該操作における和音指定ボタンに割り当てられた和音に基づいて、発音情報８０を生成する。本実施形態では、発音情報生成部１１２は、当該操作が受け付けられてから当該操作が解除されるまでの間、当該操作に応じた和音を、発音部８に継続して発音させるための発音情報８０を生成する。
【００６２】
また、発音情報生成部１１２は、操作受付部１１０により和音指定ボタン３Ａ〜３Ｉ及び和音変更ボタン４Ａ〜４Ｋが同時に操作されたような同時操作が受け付けられたとき、当該和音指定ボタンに割り当てられた和音に代えて、和音変更部１１１により当該和音変更ボタンに割り当てられた変更方法に従って割当状態が変更されたことにより、当該和音指定ボタンに割り当てられた変更後の和音に基づいて、発音情報８０を生成する。なお、同時操作には、和音指定ボタン３Ａ〜３Ｉ及び和音変更ボタン４Ａ〜４Ｋが同じタイミングで操作された場合だけでなく、和音変更ボタン４Ａ〜４Ｋが操作された状態で和音指定ボタン３Ａ〜３Ｉが操作された場合と、和音指定ボタン３Ａ〜３Ｉが操作された状態で和音変更ボタン４Ａ〜４Ｋが操作された場合とが含まれる。
【００６３】
発音情報生成部１１２が発音情報８０を生成するときの具体的な処理は、図４に示すとおりである。すなわち、発音情報生成部１１２は、複数の和音指定ボタン３Ａ〜３Ｉ及び複数の和音変更ボタン４Ａ〜４Ｋに対する操作が受け付けられたとき、当該操作に応じた和音を、例えば、コードネーム（第１の中間情報８１Ａ）で特定することり、発音部８に発音させる和音を決定する。発音情報生成部１１２は、第１の中間情報８１Ａが示すコードネームに基づいて、音階データベース１２０を参照し、和音の各構成音に対応する音階（第２の中間情報８１Ｂ）を決定する。発音情報生成部１１２は、演奏方法データベース１２１を参照し、和音を発音させるときの発音条件（第３の中間情報８１Ｃ＝音階＋発音条件）を決定する。発音情報生成部１１２は、音源データベース１２２を参照し、和音を発音させるときの音色（第４の中間情報８１Ｄ＝音階＋発音条件＋音色）を決定する。そして、発音情報生成部１１２は、第４の中間情報８１Ｄ（音階＋発音条件＋音色）に基づいて、当該音階で特定される音を、当該発音条件及び当該音色で発音部８に発音させるための発音情報８０を生成し、発音部８に送出する。
【００６４】
表示情報生成部１１３は、操作受付部１１０により受け付けられた操作に応じて、演奏画面９０Ａ及びユーザ設定画面（詳細は後述する）を、表示部９に表示させるための表示情報９０を生成する。なお、表示情報９０は、表示部９に表示させる画面や画像を示す情報を含むものであればよく、データの形式や内容は特に限定されない。また、表示情報生成部１１３は、機能の一部として、和音変更部１１１を備えていてもよい。
【００６５】
（電子楽器１及び和音演奏入力装置１０の動作について）
次に、上記構成を有する電子楽器１及び和音演奏入力装置１０の動作について説明する。ここでは、電源スイッチ（不図示）がオンされて、バッテリ１３から電子楽器１の各部に電力が供給されることで、表示部９には、初期画面として、図２に示す演奏画面９０Ａが表示されているものとして説明する。
【００６６】
（１）メニューボタン６が操作された場合
図５は、メニューボタン６が操作されたときのユーザ設定画面９１Ａ〜９１Ｇを示す図である。
【００６７】
演奏者によりメニューボタン６が操作された場合、操作受付部１１０は、その操作を受け付けて、表示情報生成部１１３は、図５に示すユーザ設定画面９１Ａ〜９１Ｇを表示部９に表示させるための表示情報９０を生成する。ユーザ設定画面９１Ａ〜９１Ｇが表示された状態で、例えば、５個の和音変更ボタン４Ｇ〜４Ｋ及びメニューボタン６が操作された場合、ユーザ設定画面９１Ａ〜９１Ｇでは、決定（ＯＫ）、戻る、カーソルの上下移動及びページの上下移動が行われる。ユーザ設定画面９１Ａ〜９１Ｇにて設定されたユーザ設定データは、ユーザ設定データベース１２３に記憶される。
【００６８】
ユーザ設定画面９１Ａにおいて、「ボタン」が選択された場合には、和音指定ボタン群３に対するユーザ設定画面９１Ｂ〜９１Ｄが表示され、「パッド」が選択された場合には、パッド群５に対するユーザ設定画面９１Ｅ〜９１Ｇが表示される。
【００６９】
ユーザ設定画面９１Ｂ〜９１Ｄは、和音指定ボタン群３が操作されたときに発音部８により発音される和音の「トーン」（音色）及び「パターン」（演奏方法）が設定可能に構成されている。ユーザ設定画面９１Ｃにおいて、「トーン」は、複数種類の楽器（例えば、ギター、ピアノ、ドラム等）の選択肢により設定される。ユーザ設定画面９１Ｄにおいて、「パターン」は、「コード」、「ルート」及び「ストローク」という３つの選択肢により設定される。「コード」は、和音の各構成音を同時に発音するための選択肢である。「ルート」は、和音のルート音と、その１オクターブ上の音を同時に発音するための選択肢である。「ストローク」は、ギターのストローク奏法のように、和音の各構成音を順に発音するための選択肢である。
【００７０】
ユーザ設定画面９１Ｅ〜９１Ｇは、パッド群５が操作されたときに発音部８により発音される和音の「トーン」（音色）及び「パターン」（演奏方法）が設定可能に構成されている。ユーザ設定画面９１Ｆにおいて、「トーン」は、複数種類の楽器（例えば、ギター、ピアノ、ドラム等）の選択肢により設定される。ユーザ設定画面９１Ｇにおいて、「パターン」は、「コード」、「アルペジオ」及び「ストローク」という３つの選択肢により設定される。「コード」は、１つのパッド５Ａ〜５Ｄで、和音の各構成音を同時に発音するための選択肢である。「アルペジオ」は、１つのパッド５Ａ〜５Ｄ毎に、和音の各構成音のうち１つ又は２つの構成音を発音するための選択肢である。「ストローク」は、１つ目のパッド５Ａでアッパーストローク、２つ目のパッド５Ｂでダウンストロークにより和音を発音するための選択肢である。
【００７１】
（２）キー上昇ボタン７０Ａ又はキー下降ボタン７０Ｂが操作された場合
図６は、キー上昇ボタン７０Ａ又はキー下降ボタン７０Ｂが操作されたときの演奏画面９０Ａ〜９０Ｃを示す図である。
【００７２】
演奏者によりキー上昇ボタン７０Ａ又はキー下降ボタン７０Ｂが操作された場合、操作受付部１１０は、その操作を受け付けて、和音変更部１１１は、複数の和音指定ボタン３Ａ〜３Ｉにそれぞれ割り当てられた各和音のキーを全体的に半音だけ上昇又は下降することにより、割当状態を変更する。これにより、楽曲のキーが変わっても、各和音を構成する第１の根音の音程上の配置関係が変わらないため、演奏者は、同じ指使いで演奏することができる。
【００７３】
その際、表示情報生成部１１３は、和音変更部１１１により割当状態が変更された後の和音に対応する複数の和音画像９００Ａ〜９００Ｉと、キー上昇ボタン７０Ａ又はキー下降ボタン７０Ｂに対する操作に応じたキー画像９０３とに基づいて、表示情報９０を生成する。その結果、表示部９は、キー上昇ボタン７０Ａ又はキー下降ボタン７０Ｂに対する操作に応じて、「ハ長調／イ短調」を示す演奏画面９０Ａ、「変ニ長調／変ロ短調」を示す演奏画面９０Ｂ、及び、「ニ長調／ロ短調」を示す演奏画面９０Ｃ等を切り換えるようにして表示する。
【００７４】
（３）和音指定ボタン群３が操作された場合
図７は、和音指定ボタン３Ａが操作されたときの演奏画面９０Ａ、９０Ｄを示す図である。
【００７５】
図７に示す演奏画面９０Ａが表示部９に表示された状態で、演奏者により複数の和音指定ボタン３Ａ〜３Ｉのうちいずれかの和音指定ボタンが操作された場合、操作受付部１１０は、その操作を受け付ける。ここでは、演奏者が、初期の割当状態として和音「Ｃ」が割り当てられた和音指定ボタン３Ａを指Ｆ１で操作した場合について説明する。
【００７６】
操作受付部１１０が、和音指定ボタン３Ａに対する操作を受け付けると、発音情報生成部１１２は、当該和音指定ボタン３Ａに割り当てられた和音「Ｃ」を、発音部８に発音させるための発音情報８０を生成する。すなわち、発音情報生成部１１２は、音階データベース１２０を参照して、和音「Ｃ」を構成する複数の構成音に対応する音階を決定する。そして、発音情報生成部１１２は、ユーザ設定画面９１Ａの「ボタン」のメニューにて設定された演奏方法及び音色に基づいて、演奏方法データベース１２１及び音源データベース１２２から発音条件及び音源データを読み出して、発音情報８０を生成する。発音部８は、その発音情報８０に基づいて、和音「Ｃ」を発音する。
【００７７】
その際、表示情報生成部１１３は、当該和音指定ボタン３Ａに割り当てられた和音「Ｃ」に対応する和音画像９００Ａの表示態様（例えば、反転状態）を変更した表示情報９０を生成する。表示部９は、その表示情報９０に基づいて、図７に示す演奏画面９０Ｄを表示する。
【００７８】
和音指定ボタン３Ａに対する操作が解除されたとき、表示情報生成部１１３は、当該和音画像９００Ａの表示態様を元の表示態様に戻した表示情報９０を生成する。その結果、表示部９は、和音指定ボタン３Ａが操作される前の演奏画面９０Ａを表示する。
【００７９】
なお、和音指定ボタン３Ａが操作された状態で、操作受付部１１０が、パッド群５に対する操作を受け付けた場合には、発音情報生成部１１２は、音階データベース１２０を参照して、和音「Ｃ」を構成する複数の構成音に対応する音階を決定する。そして、発音情報生成部１１２は、ユーザ設定画面９１Ａの「パッド」のメニューにて設定された演奏方法及び音色に基づいて、演奏方法データベース１２１及び音源データベース１２２から発音条件及び音源データを読み出して、発音情報８０を生成する。
【００８０】
以上のように、演奏画面９０Ｄでは、和音指定ボタン３Ａに対する操作に応じて、和音画像９００Ａの表示態様が変更されるので、演奏者は、現在発音されている和音「Ｃ」を示すコードネームを容易に把握することができる。また、演奏者は、現在操作している和音指定ボタン３Ａの位置と、和音指定ボタン３Ａに対する他のボタン（和音指定ボタン３Ａを除く和音指定ボタン群３及び和音変更ボタン群４）との間の相対的な位置関係を容易に把握することができる。そのため、例えば、和音「Ｃ」の次に演奏する和音が「Ｄｍ」である場合には、演奏者は、現在操作している和音指定ボタン３Ａに対して右側に隣接する和音指定ボタン３Ｂを指Ｆ１又は別の指で操作することにより和音「Ｄｍ」を出力できることを事前に把握することができる。したがって、本発明の実施形態に係る電子楽器１及び和音演奏入力装置１０によれば、演奏時の操作性を向上することができる。
【００８１】
（４）和音指定ボタン群３及び和音変更ボタン群４が操作された場合
（４．ａ）第１の変更方法について
図８は、第１の変更方法が割り当てられた和音変更ボタン４Ｃが操作されたときの演奏画面９０Ａ、９０Ｅ、９０Ｆを示す図である。図９は、第１の変更方法が割り当てられた和音変更ボタン４Ｄが操作されたときの演奏画面９０Ａ、９０Ｇ、９０Ｈを示す図である。
【００８２】
演奏画面９０Ａが表示部９に表示された状態で、演奏者により複数の和音変更ボタン４Ａ〜４Ｋのうちいずれかの和音変更ボタンが操作された場合、操作受付部１１０は、その操作を受け付ける。
【００８３】
まず、図８に示す演奏画面９０Ａが表示部９に表示された状態で、操作受付部１１０が、指Ｆ１による和音変更ボタン４Ｃに対する操作を受け付けると、和音変更部１１１は、当該和音変更ボタン４Ｃに割り当てられた第１の変更方法（第２の和音種類「７」）に従って、割当状態を変更する。すなわち、和音変更部１１１は、複数の和音指定ボタン３Ａ〜３Ｉにそれぞれ割り当てられた各和音を構成する第１の和音種類（「Ｍ」又は「ｍ」）を、第２の和音種類「７」にそれぞれ置換することにより、割当状態を変更する。
【００８４】
その際、表示情報生成部１１３は、第１の変更方法（第２の和音種類「７」）に対応する変更方法画像９０１Ｃの表示態様（例えば、反転状態）を変更した表示情報９０を生成する。また、表示情報生成部１１３は、和音変更部１１１により第１の変更方法（第２の和音種類「７」）に従って割当状態が変更されたことにより、複数の和音画像９００Ｂ、９００Ｃ、９００Ｆ、９００Ｈに含まれるコードネームから不要となる「ｍ」（マイナー）の表記を消去した表示情報９０を生成する。表示部９は、その表示情報９０に基づいて、図８に示す演奏画面９０Ｅを表示する。
【００８５】
そして、演奏画面９０Ｅが表示された状態、すなわち、和音変更ボタン４Ｃが操作された状態で、操作受付部１１０が、指Ｆ２による和音指定ボタン３Ａに対する操作を受け付けると、発音情報生成部１１２は、和音「Ｃ」に代えて、和音変更部１１１により上記のように割当状態が変更されたことにより、当該和音指定ボタン３Ａに新たに割り当てられた変更後の和音「Ｃ７」に基づいて、発音情報８０を生成する。発音部８は、その発音情報８０に基づいて、和音「Ｃ７」を発音する。
【００８６】
その際、表示情報生成部１１３は、当該和音指定ボタン３Ａに対応する和音画像９００Ａの表示態様（例えば、反転状態）を変更した表示情報９０を生成する。表示部９は、その表示情報９０に基づいて、図８に示す演奏画面９０Ｆを表示する。
【００８７】
また、演奏画面９０Ｅが表示された状態で、和音変更ボタン４Ｃに対する操作が解除されたとき、和音変更部１１１は、変更した割当状態を、元の割当状態（初期の割当状態）に戻す。そして、表示情報生成部１１３は、元の割当状態に対応する複数の和音画像９００Ａ〜９００Ｉと、元の表示態様に戻した変更方法画像９０１Ｃとに基づいて、表示情報９０を生成する。その結果、表示部９は、和音変更ボタン４Ｃが操作される前の演奏画面９０Ａを表示する。
【００８８】
さらに、演奏画面９０Ｆが表示された状態で、和音指定ボタン３Ａに対する操作が解除されたとき、表示情報生成部１１３は、表示態様を元の表示態様に戻した和音画像９００Ａに基づいて、表示情報９０を生成する。その結果、表示部９は、和音指定ボタン３Ａが操作される前の演奏画面９０Ｅを表示する。
【００８９】
なお、第１の変更方法における第２の和音種類が、上記「７」の他に、「ｍ７」、「ａｕｇ」、「Ｏ」、「７ｓｕｓ４」、「Φ」である場合には、表示部９は、図８に示すように、複数の和音画像９００Ａ〜９００Ｉに含まれるコードネームから「ｍ」（マイナー）の表記を消去して、複数の和音画像９００Ａ〜９００Ｉを表示する。
【００９０】
次に、図９に示す演奏画面９０Ａが表示部９に表示された状態で、操作受付部１１０が、指Ｆ１による和音変更ボタン４Ｄに対する操作を受け付けると、和音変更部１１１は、当該和音変更ボタン４Ｄに割り当てられた第１の変更方法（第２の和音種類「Ｍ７」）に従って、割当状態を変更する。すなわち、和音変更部１１１は、複数の和音指定ボタン３Ａ〜３Ｉにそれぞれ割り当てられた各和音を構成する第１の和音種類（「Ｍ」又は「ｍ」）に、第２の和音種類「Ｍ７」をそれぞれ付加することにより、割当状態を変更する。
【００９１】
その際、表示情報生成部１１３は、第１の変更方法（第２の和音種類「Ｍ７」）に対応する変更方法画像９０１Ｄの表示態様（例えば、反転状態）を変更した表示情報９０を生成する。表示部９は、その表示情報に基づいて、図９に示す演奏画面９０Ｇを表示する。ここでは、表示情報生成部１１３は、複数の和音画像９００Ａ〜９００Ｉに含まれるコードネームから「ｍ」（マイナー）の表記を消去した表示情報９０を生成しない。
【００９２】
そして、演奏画面９０Ｇが表示された状態、すなわち、和音変更ボタン４Ｄが操作された状態で、操作受付部１１０が、指Ｆ２による和音指定ボタン３Ａに対する操作を受け付けると、発音情報生成部１１２は、和音「Ｃ」に代えて、和音変更部１１１により上記のように割当状態が変更されたことにより、当該和音指定ボタン３Ａに新たに割り当てられた変更後の和音「ＣＭ７」に基づいて、発音情報８０を生成する。発音部８は、その発音情報８０に基づいて、和音「ＣＭ７」を発音する。
【００９３】
その際、表示情報生成部１１３は、図８と同様に、表示情報９０を生成することにより、表示部９は、図９に示す演奏画面９０Ｈを表示する。また、演奏画面９０Ｇにて和音変更ボタン４Ｄに対する操作が解除されたときの動作、及び、演奏画面９０Ｈにて和音指定ボタン３Ａに対する操作が解除されたときの動作は、図８と同様のため、説明を省略する。
【００９４】
なお、第１の変更方法における第２の和音種類が、上記「Ｍ７」の他に、「６」、「９」である場合には、表示部９は、図９に示すように、複数の和音画像９００Ａ〜９００Ｉに含まれるコードネームから「ｍ」（マイナー）の表記を消去することなく、複数の和音画像９００Ａ〜９００Ｉを表示する。
【００９５】
（４．ｂ）第２の変更方法について
図１０は、第２の変更方法が割り当てられた和音変更ボタンＨが操作されたときの演奏画面９０Ａ、９０Ｉ、９０Ｊを示す図である。
【００９６】
図１０に示す演奏画面９０Ａが表示部９に表示された状態で、操作受付部１１０が、指Ｆ１による和音変更ボタン４Ｈに対する操作を受け付けると、和音変更部１１１は、当該和音変更ボタン４Ｈに割り当てられた第２の変更方法（第３の和音種類「Ｍ」及び第４の和音種類「ｍ」）に従って、割当状態を変更する。すなわち、和音変更部１１１は、複数の和音指定ボタン３Ａ〜３Ｉにそれぞれ割り当てられた各和音を構成する第１の和音種類に対して、メジャーをマイナーに変更し、マイナーをメジャーに変更することにより、割当状態を変更する。
【００９７】
その際、表示情報生成部１１３は、第２の変更方法（第３の和音種類「Ｍ」及び第４の和音種類「ｍ」）に対応する変更方法画像９０１Ｈの表示態様（例えば、反転状態）を変更した表示情報９０を生成する。また、表示情報生成部１１３は、和音変更部１１１により第２の変更方法（第３の和音種類「Ｍ」及び第４の和音種類「ｍ」）に従って割当状態が変更された後（メジャーとマイナーを入れ替えた後）の和音に対応する複数の和音画像９００Ａ〜９００Ｉに基づいて、表示情報９０を生成する。表示部９は、その表示情報９０に基づいて、図１０に示す演奏画面９０Ｉを表示する。
【００９８】
そして、演奏画面９０Ｉが表示された状態、すなわち、和音変更ボタン４Ｈが操作された状態で、操作受付部１１０が、指Ｆ２による和音指定ボタン３Ａに対する操作を受け付けると、発音情報生成部１１２は、和音「Ｃ」に代えて、和音変更部１１１により上記のように割当状態が変更されたことにより、当該和音指定ボタン３Ａに新たに割り当てられた変更後の和音「Ｃｍ」に基づいて、発音情報８０を生成する。発音部８は、その発音情報８０に基づいて、和音「Ｃｍ」を発音する。
【００９９】
その際、表示情報生成部１１３は、図８と同様に、表示情報９０を生成することにより、表示部９は、図１０に示す演奏画面９０Ｊを表示する。また、演奏画面９０Ｉにて和音変更ボタン４Ｈに対する操作が解除されたときの動作、及び、演奏画面９０Ｊにて和音指定ボタン３Ａに対する操作が解除されたときの動作は、図８と同様のため、説明を省略する。
【０１００】
（４．ｃ）第３の変更方法について
図１１は、第３の変更方法が割り当てられた和音変更ボタン４Ｇが操作されたときの演奏画面９０Ａ、９０Ｋ〜９０Ｍを示す図である。
【０１０１】
図１１に示す演奏画面９０Ａが表示部９に表示された状態で、操作受付部１１０が、指Ｆ１による和音変更ボタン４Ｇに対する操作を受け付けると、和音変更部１１１は、当該和音変更ボタン４Ｇに割り当てられた第３の変更方法（変化記号「＃」）に従って、割当状態を変更する。すなわち、和音変更部１１１は、複数の和音指定ボタン３Ａ〜３Ｉにそれぞれ割り当てられた各和音を構成する第１の根音を、半音だけそれぞれ上げることにより、割当状態を変更する。
【０１０２】
その際、表示情報生成部１１３は、第３の変更方法（変化記号「＃」）に対応する変更方法画像９０１Ｈの表示態様（例えば、反転状態）を変更した表示情報９０を生成する。また、表示情報生成部１１３は、和音変更部１１１により第３の変更方法（変化記号「＃」）に従って割当状態が変更された後（キーを半音だけ上げた後）の和音に対応する複数の和音画像９００Ａ〜９００Ｉに基づいて、表示情報９０を生成する。表示部９は、その表示情報９０に基づいて、図１１に示す演奏画面９０Ｋを表示する。
【０１０３】
そして、演奏画面９０Ｋが表示された状態、すなわち、和音変更ボタン４Ｇが操作された状態で、操作受付部１１０が、指Ｆ２による和音変更ボタン４Ｉに対する操作を受け付けると、発音情報生成部１１２は、当該和音変更ボタン４Ｉに割り当てられた第１の変更方法（第２の和音種類「Ｏ」）に従って、割当状態を変更する。
【０１０４】
その際、表示情報生成部１１３は、第１の変更方法（第２の和音種類「Ｏ」）に対応する変更方法画像９０１Ｉの表示態様（例えば、反転状態）を変更した表示情報９０を生成する。表示部９は、その表示情報９０に基づいて、図１１に示す演奏画面９０Ｌを表示する。
【０１０５】
そして、演奏画面９０Ｌが表示された状態、すなわち、和音変更ボタン４Ｇ、４Ｉが操作された状態で、操作受付部１１０が、指Ｆ３による和音指定ボタン３Ａに対する操作を受け付けると、発音情報生成部１１２は、和音「Ｃ」に代えて、和音変更部１１１により上記のように割当状態が変更されたことにより、当該和音指定ボタン３Ａに新たに割り当てられた変更後の和音「Ｄ♭ｄｉｍ７」に基づいて、発音情報８０を生成する。発音部８は、その発音情報８０に基づいて、和音「Ｄ♭ｄｉｍ７」を発音する。
【０１０６】
その際、表示情報生成部１１３は、図８と同様に、表示情報９０を生成することにより、表示部９は、図１１に示す演奏画面９０Ｍを表示する。また、演奏画面９０Ｋにて和音変更ボタン４Ｇに対する操作が解除されたときの動作、演奏画面９０Ｌにて和音変更ボタン４Ｉに対する操作が解除されたときの動作、及び、演奏画面９０Ｍにて和音指定ボタン３Ａに対する操作が解除されたときの動作は、図８と同様のため、説明を省略する。
【０１０７】
以上のように、第１の変更方法（第２の和音種類「７」又は「Ｍ７」）が割り当てられた和音変更ボタン４Ｃ、４Ｄが操作されたとき、和音変更部１１１は、初期の割当状態として和音指定ボタン３Ａに割り当てられた和音「Ｃ」を、第２の和音種類「７」又は「Ｍ７」に基づいて、和音「Ｃ７」又は「ＣＭ７」に変更する。また、第２の変更方法（第３の和音種類「Ｍ」及び第４の和音種類「ｍ」）が割り当てられた和音変更ボタン４Ｈが操作されたとき、和音変更部１１１は、和音「Ｃ」を、第３の和音種類「Ｍ」及び第４の和音種類「ｍ」に基づいて、和音「Ｃｍ」に変更する。さらに、第３の変更方法（変化記号「＃」）が割り当てられた和音変更ボタン４Ｇが操作され、かつ、第１の変更方法（第２の和音種類「Ｏ」）が割り当てられた和音変更ボタン４Ｉが操作されたとき、和音変更部１１１は、和音「Ｃ」を、変化記号「＃」及び第２の和音種類「Ｏ」に基づいて、和音「Ｄ♭ｄｉｍ７」に変更する。
【０１０８】
すなわち、発音情報生成部１１２は、複数の和音指定ボタン３Ａ〜３Ｉ及び複数の和音変更ボタン４Ａ〜４Ｋが操作されたときの組み合わせに応じた和音を、発音部８に発音させるための発音情報８０を生成する。このとき、複数の和音指定ボタン３Ａ〜３Ｉに対する和音の割当状態は、複数の和音変更ボタン４Ａ〜４Ｋに割り当てられた変更方法に従って変更されるので、演奏可能な和音の数は、和音指定ボタン３Ａ〜３Ｉの数と、和音変更ボタン４Ａ〜４Ｋの数とに応じて決められることになる。したがって、本発明の実施形態に係る電子楽器１及び和音演奏入力装置１０によれば、和音指定ボタン３Ａ〜３Ｉの数に比べて演奏可能な和音の種類を多くすることができる。
【０１０９】
また、表示情報生成部１１３は、図８〜図１１に示す演奏画面９０Ａ、９０Ｅ〜９０Ｍのように、和音変更部１１１により割当状態が変更される前後において、複数の和音画像９００Ａ〜９００Ｉ及び複数の変更方法画像９０１Ａ〜９０１Ｋを、複数の和音指定ボタン３Ａ〜３Ｉ及び複数の和音変更ボタン４Ａ〜４Ｋの並び順と一致するように、表示部９に表示させるための表示情報９０を生成する。そのため、演奏者は、複数の和音指定ボタン３Ａ〜３Ｉ及び複数の和音変更ボタン４Ａ〜４Ｋにおける各ボタンの配置状態とともに、各ボタンを操作したときに発音される和音（変更後の和音も含む）を簡単に把握することができる。したがって、本発明の実施形態に係る電子楽器１及び和音演奏入力装置１０によれば、演奏時の操作性を向上することができる。
【０１１０】
また、演奏画面９０Ｅ〜９０Ｍでは、複数の和音指定ボタン３Ａ〜３Ｉ及び複数の和音変更ボタン４Ａ〜４Ｋに対する操作に応じて、和音画像９００Ａ〜９００Ｉ及び変更方法画像９０１Ａ〜９０１Ｋの表示態様が変更される。そのため、演奏者は、例えば、現在発音されている和音（変更後の和音も含む）を示すコードネームを容易に把握することができるので、演奏時の操作性を向上することができる。
【０１１１】
また、発音情報生成部１１２は、例えば、初期の割当状態として和音「Ｃ」が割り当てられた和音指定ボタン３Ａと、第１の変更方法として第２の和音種類「７」が割り当てられた和音変更ボタン４Ｃとが同時に操作されたとき、和音「Ｃ」に代えて、和音変更部１１１により第１の変更方法に従って割当状態が変更されたことにより、当該和音指定ボタン３Ａに割り当てられた変更後の和音「Ｃ７」に基づいて、発音情報８０を生成する。そのため、演奏者は、和音指定ボタン３Ａと和音変更ボタン４Ｃとを同時に操作することで別の和音を簡単に指定することができるので、演奏時の操作性を向上することができる。
【０１１２】
また、複数の和音指定ボタン３Ａ〜３Ｉ及び複数の和音変更ボタン４Ａ〜４Ｋは、片手で操作可能な範囲に並べられて配置される。そのため、演奏者は、片手の指（１本又は複数本）で複数の和音を指定することができるので、演奏時の操作性を向上することができる。
【０１１３】
また、複数の和音指定ボタン３Ａ〜３Ｉは、和音指定ボタン群３として、２次元配列状又は千鳥配列状に並べられて配置され、複数の和音変更ボタン４Ａ〜４Ｋは、和音指定ボタン群３に隣接して配置される。そのため、演奏者は、和音指定ボタン群３の上方に指を置きながら、複数の和音変更ボタン４Ａ〜４Ｋにも指を素早く移動させることができる。したがって、演奏者は、複数の和音指定ボタン３Ａ〜３Ｉ及び複数の和音変更ボタン４Ａ〜４Ｋを効率的に操作することができるので、演奏時の操作性を向上することができる。
【０１１４】
（他の実施形態）
以上、本発明の実施形態について説明したが、本発明は上記実施形態に限定されるものではなく、本発明の技術的思想を逸脱しない範囲で適宜変更可能である。
【０１１５】
例えば、上記実施形態では、電子楽器１が、和音演奏入力装置１０、発音部８及び表示部９を備えるものとして説明したが、図１２に示すように、複数の装置が、これらを別々に備えるとともに、複数の装置が、有線又は無線により接続されることで電子楽器１として機能するようにしてもよい。また、和音演奏入力装置１０は、図４に示す破線の枠１０Ａ〜１０Ｄのいずれかで特定されるものでもよく、その場合には、発音情報生成部１１２は、発音情報８０として、第１乃至第４の中間情報８１Ａ〜８１Ｄのいずれかを生成し、他の装置に送信するようにしてもよい。
【０１１６】
図１２は、本発明の他の実施形態に係る電子楽器１及び和音演奏入力装置１０の構成例を示し、（ａ）は第１の構成例、（ｂ）は第２の構成例、（ｃ）は第３の構成例を示す図である。
【０１１７】
図１２（ａ）に示す第１の構成例では、第１の装置１００Ａが和音演奏入力装置１０及び表示部９を備え、第２の装置１０１Ａが発音部８を備える。和音演奏入力装置１０の発音情報生成部１１２により生成された発音情報８０は、第２の装置１０１Ａに送信されて、第２の装置１０１Ａの発音部８により発音される。和音演奏入力装置１０の表示情報生成部１１３により生成された表示情報９０は、第１の装置１００Ａの表示部９により表示される。
【０１１８】
図１２（ｂ）に示す第２の構成例では、第１の装置１００Ｂが和音演奏入力装置１０Ａ（図４に示す破線の枠１０Ａで特定されたもの）を備え、第２の装置１０１Ｂが発音部８を備え、第３の装置１０２Ｂが表示部９を備える。和音演奏入力装置１０の発音情報生成部１１２により生成された発音情報８０（＝図４に示す第１の中間情報８１Ａ）は、第２の装置１０１Ｂに送信されて、第２の装置１０１Ｂの発音部８により発音される。和音演奏入力装置１０の表示情報生成部１１３により生成された表示情報９０は、第３の装置１０２Ｂに送信され、第３の装置１０２Ｂの表示部９により表示される。
【０１１９】
図１２（ｃ）に示す第３の構成例では、第１の装置１００Ｃが和音演奏入力装置１０Ｂ（図４に示す破線の枠１０Ｂで特定されたもの）を備え、第２の装置１０１Ｃが発音部８及び表示部９を備える。和音演奏入力装置１０の発音情報生成部１１２により生成された発音情報８０（＝図４に示す第２の中間情報８１Ｂ）は、第２の装置１０１Ｃに送信されて、第２の装置１０１Ｃの発音部８により発音される。和音演奏入力装置１０の表示情報生成部１１３により生成された表示情報９０は、第３の装置１０２Ｃに送信され、第３の装置１０２Ｃの表示部９により表示される。
【０１２０】
また、上記実施形態では、複数の和音指定ボタン３Ａ〜３Ｉには、図２に示す割当状態を初期の割当状態として、複数の和音がそれぞれ割り当てられているものとして説明したが、初期の割当状態は、演奏者により変更可能に構成されるようにしてもよい。また、複数の和音変更ボタン４Ａ〜４Ｋに対して複数の変更方法がそれぞれ割り当てられた割当状態についても、演奏者により変更可能に構成されるようにしてもよい。
【０１２１】
その際、演奏者により変更された割当状態は、ユーザ設定データベース１２３にユーザ設定データとして記憶され、制御部１１が、メモリボタン７１Ａ、７１Ｂに対する操作に応じてユーザ設定データベース１２３からユーザ設定データを読み出すようにしてもよい。さらに、メモリボタン７１Ａ、７１Ｂが、和音変更ボタンとして配置されることにより、第４の変更方法として、ユーザ設定データベース１２３から読み出されたユーザ設定データに基づいて、割当情報を変更するようにしてもよい。
【０１２２】
また、上記実施形態では、和音変更部１１１が、第２及び第３の変更方法に従って割当状態を変更した場合、表示情報生成部１１３は、図１０に示す演奏画面９０Ｉ、及び、図１１に示す演奏画面９０Ｋのように、割当状態が変更された後の和音に対応する和音画像９００Ａ〜９００Ｉ及び変更方法画像９０１Ａ〜９０１Ｋを、表示部９に表示させるための表示情報９０を生成するものとした説明したが、和音変更部１１１が、第１の変更方法に従って割当状態を変更した場合でも、表示情報生成部１１３は、同様に、表示情報９０を生成するようにしてもよい。すなわち、図８に示す演奏画面９０Ｅにおいて、和音画像９００Ａが、「Ｃ７」を含むようにしてもよいし、図９に示す演奏画面９０Ｇにおいて、和音画像９００Ａが、「ＣＭ７」を含むようにしてもよい。
【０１２３】
また、上記実施形態では、表示情報生成部１１３は、和音画像９００Ａ〜９００Ｉ及び変更方法画像９０１Ａ〜９０１Ｋの表示態様を変更する際、画像を反転状態に変更するものとして説明したが、表示態様を変更する方法はこれに限られず、色、模様、図形等を適宜変更するようにしてもよい。
【０１２４】
また、上記実施形態では、和音演奏入力プログラム１２４は、電子楽器１の制御部１１で実行させるものとして説明したが、例えば、スマートフォンやタブレット端末等の電子機器が備える制御部で実行させることにより、電子機器が、和音演奏入力装置１０として機能するようにしてもよい。その際、電子機器がタッチパネルを備える場合には、タッチパネルの表示エリアの一部又は全部が、和音指定ボタン群３及び和音変更ボタン群４として機能するようにしてもよいし、タッチパネルの表示エリアの一部又は全部が、表示部９として機能するようにしてもよい。さらに、タッチパネルが、和音指定ボタン群３及び和音変更ボタン群４と、表示部９とを兼ねるようにしてもよく、例えば、タッチパネルに表示した複数の和音画像９００Ａ〜９００Ｉ及び複数の変更方法画像９０１Ａ〜９０１Ｋが、和音指定ボタン群３及び和音変更ボタン群４として機能するようにしてもよい。
【０１２５】
また、上記実施形態では、和音演奏入力プログラム１２４は、記憶部１２に記憶されたものとして説明したが、インストール可能な形式又は実行可能な形式のファイルでＣＤ−ＲＯＭ、ＤＶＤ等のコンピュータで読み取り可能な記録媒体に記録されて提供されてもよい。また、和音演奏入力プログラム１２４は、インターネット等のネットワークに接続されたサーバ上に格納し、ネットワーク経由でダウンロードさせることにより提供されてもよい。
【符号の説明】
【０１２６】
１…電子楽器、２…筐体、
３…和音指定ボタン群、３Ａ〜３Ｉ…和音指定ボタン、
４…和音変更ボタン群、４Ａ〜４Ｋ…和音変更ボタン、
５…パッド群、５Ａ〜５Ｄ…パッド、６…メニューボタン、
７…オプションボタン群、８…発音部、９…表示部、
１０、１０Ａ〜１０Ｄ…和音演奏入力装置、１１…制御部、
１２…記憶部、１３…バッテリ、１４…外部Ｉ／Ｆ部、２０…表面、
２１…裏面、２２…上面、２３…下面、２４…ネック部、２５…ボディ部、
７０Ａ…キー上昇ボタン、７０Ｂ…キー下降ボタン、
７１Ａ…メモリボタン、７１Ｂ…メモリボタン、
８０…発音情報、８１Ａ〜８１Ｄ…中間情報、９０…表示情報、
９０Ａ〜９０Ｍ…演奏画面、９１Ａ〜９１Ｇ…ユーザ設定画面、
１００Ａ〜１００Ｃ…第１の装置、１０１Ａ〜１０１Ｃ…第２の装置、
１０２Ｂ、１０２Ｃ…第３の装置、１１０…操作受付部、
１１１…和音変更部、１１２…発音情報生成部、１１３…表示情報生成部、
１２０…音階データベース、１２１…演奏方法データベース１２１、
１２２…音源データベース、１２３…ユーザ設定データベース、
１２４…和音演奏入力プログラム、
９００Ａ〜９００Ｉ…和音画像、９０１Ａ〜９０１Ｋ…変更方法画像、
９０２…メニュー画像、９０３…キー画像、Ｆ１〜Ｆ３…指
【図１】
2020201489.tif 000003
【図２】
2020201489.tif 000004
【図３】
2020201489.tif 000005
【図４】
2020201489.tif 000006
【図５】
2020201489.tif 000007
【図６】
2020201489.tif 000008
【図７】
2020201489.tif 000009
【図８】
2020201489.tif 000010
【図９】
2020201489.tif 000011
【図１０】
2020201489.tif 000012
【図１１】
2020201489.tif 000013
【図１２】
2020201489.tif 000014